(57)【要約】  タッチスクリーンディスプレイ１０２とビデオカメラ１０４を組み込むハンドヘルド医療イベントレコーダ１００が記載される。レコーダはユーザが同時にビデオをキャプチャし医療イベントの進展に注釈を付けることができるように構成される。タッチスクリーンディスプレイインターフェースは、適切なアイコンの簡単なタップが注釈をレコーダメモリ１１０に記録させるように、直感的アイコンとインジケータの使用によって注釈を単純化する。
2015534661.tif 000002
【特許請求の範囲】
【請求項１】
医療処置イベントをリアルタイムに記録するための方法であって、
プロセッサ、メモリ、カメラ、及びタッチスクリーンディスプレイを持つハンドヘルドコンピューティングデバイスを提供するステップと、
前記医療処置イベントを記録するために前記ハンドヘルドコンピューティングデバイスを初期化するステップと、
前記カメラを起動するステップと、
前記カメラから前記医療処置イベントのビデオ記録を取得するステップと、
前記ディスプレイの画面上に医療処置プロトコルの第１のステップに対応するタッチセンサ式注釈アイコンを表示するステップと、
前記注釈アイコンのタッチを感知するステップと、
前記感知するステップに応答して前記メモリに注釈を記録するステップと
を有する方法。
【請求項２】
前記注釈アイコンを表示するステップと同時に前記ディスプレイの画面上にリアルタイムに前記ビデオ記録を表示するステップをさらに有する、請求項１に記載の方法。
【請求項３】
前記ハンドヘルドコンピューティングデバイスが無線トランシーバを含み、
前記無線トランシーバにおいて患者特性をあらわす無線信号を受信するステップと、
前記無線信号に対応するデータを前記メモリに記録するステップと
をさらに有する、請求項１に記載の方法。
【請求項４】
前記注釈アイコンを表示するステップと同時に前記ディスプレイの画面上に前記無線信号に対応するデータを表示するステップをさらに有する、請求項３に記載の方法。
【請求項５】
前記記録するステップの後、
前記ディスプレイの画面上で前記医療処置イベントの前記ビデオ記録を再生するステップと、
前記再生するステップと時間同期して前記ディスプレイの画面上で前記記録するステップからの前記注釈をスクロールするステップと
をさらに有する、請求項１に記載の方法。
【請求項６】
前記表示するステップが人型グラフィカルインジケータを表示するステップをさらに含み、前記医療処置プロトコルが心肺蘇生プロトコルである、請求項１に記載の方法。
【請求項７】
前記感知するステップに応答してインクリメントする注釈カウンタを前記ディスプレイの画面上に表示するステップをさらに有する、請求項１に記載の方法。
【請求項８】
前記注釈アイコンが注射器アイコンであり、
投与される薬剤の量のセレクタを含む、前記医療処置プロトコルに対応する複数の薬剤の薬剤リストを、前記感知するステップに応答して前記ディスプレイ上に表示するステップと、
前記薬剤リスト上の薬剤の一つの選択を感知するステップとをさらに有し、
前記注釈を記録するステップが前記薬剤と投与された薬剤の量の注釈を記録するステップを含む、
請求項１に記載の方法。
【請求項９】
前記注釈アイコンが緊急カートアイコンであり、
チームメンバーと各役割のリストを前記感知するステップに応答して前記ディスプレイ上に表示するステップと、
前記チームメンバーのリストから前記医療処置イベントに参加するチームメンバーを選択するステップと
をさらに有する、請求項１に記載の方法。
【請求項１０】
前記ハンドヘルドコンピューティングデバイスがバーコードリーダを含み、
前記カメラと前記バーコードリーダからデバイス識別バーコードを取得するステップと、
前記取得された識別バーコードに基づいて前記医療処置イベントにおいて使用される医療機器を自動的に識別するステップと、
前記識別された医療機器の注釈を前記メモリに記録するステップと
をさらに有する、請求項１に記載の方法。
【請求項１１】
医療処置イベントをリアルタイムに記録するためのデバイスであって、
プロセッサ、メモリ、タッチスクリーンディスプレイ、カメラ、無線トランシーバ、コンピュータ可読媒体、及び前記コンピュータ可読媒体内のコンピュータプログラムを含む、ハンドヘルドコンピューティングデバイスを有し、前記コンピュータプログラムは、前記ハンドヘルドコンピューティングデバイスに、
前記タッチスクリーンディスプレイ上に医療処置プロトコルの第１のステップに対応する注釈アイコンを表示するステップと、
前記注釈アイコンのタッチを感知するステップと、
前記感知されたタッチに対応する注釈を前記メモリに記録するステップと、
前記アイコンと同時に前記タッチスクリーンディスプレイ上に前記カメラから取得されるビデオ記録を表示するステップと
を実行させるように動作可能である、
デバイス。
【請求項１２】
前記コンピュータプログラムがさらに、前記カメラから取得されるビデオ記録を前記メモリに記録するステップを前記ハンドヘルドコンピューティングデバイスに実行させるように動作可能である、請求項１１に記載のデバイス。
【請求項１３】
前記コンピュータプログラムがさらに、前記ビデオ記録と前記記録された注釈を前記ディスプレイ上で同時に再生するステップを前記ハンドヘルドコンピューティングデバイスに実行させるように動作可能である、請求項１２に記載のデバイス。
【請求項１４】
前記コンピュータプログラムがさらに、前記再生するステップ中に前記ディスプレイにわたって前記注釈をスクロールするステップを前記ハンドヘルドコンピューティングデバイスに実行させるように動作可能である、請求項１３に記載のデバイス。
【請求項１５】
前記ハンドヘルドコンピューティングデバイスがポジションロケータをさらに有し、さらに前記コンピュータプログラムが、前記ポジションロケータから得られる位置を前記メモリに記録するステップを前記ハンドヘルドコンピューティングデバイスに実行させるように動作可能である、請求項１１に記載のデバイス。
【請求項１６】
前記コンピュータプログラムがさらに、前記ハンドヘルドコンピューティングデバイスに、
前記カメラからデバイス識別バーコードを取得するステップと、
前記取得された識別バーコードに基づいて前記医療処置イベントにおいて使用される医療機器を自動的に識別するステップと
を実行させるように動作可能である、請求項１１に記載のデバイス。
【請求項１７】
前記コンピュータプログラムがさらに、前記ハンドヘルドコンピューティングデバイスに、
前記無線トランシーバと前記医療機器間に無線通信を確立するステップと、
前記無線トランシーバを介して前記医療機器から受信されるデータを前記メモリに記録するステップと
を実行させるように動作可能である、請求項１６に記載のデバイス。
【請求項１８】
前記データが心電図である、請求項１７に記載のデバイス。
【請求項１９】
医療処置イベントをリアルタイムに記録するためのハンドヘルドコンピューティングデバイスであって、
メモリと、
前記医療処置イベントのビデオ記録を取得するように動作可能なカメラと、
前記医療処置イベントに関する医療処置プロトコルのステップに対応する注釈アイコンを表示するように動作可能なタッチスクリーンディスプレイと、
感知された前記注釈アイコンのタッチに応答して、前記ビデオ記録と注釈を前記メモリに記録するように動作可能なプロセッサと
を有する、ハンドヘルドコンピューティングデバイス。
【請求項２０】
前記プロセッサが前記タッチスクリーンディスプレイ上で同時に前記記録されたビデオ記録と前記注釈を再生するように動作可能である、請求項１９に記載のハンドヘルドコンピューティングデバイス。
【発明の詳細な説明】
【技術分野】
【０００１】
本発明は概して医療処置イベントに関する情報をキャプチャするための、及びイベント後に情報をレビューするための改良された装置と方法に関する。より具体的には、本発明はイベントに注釈を付けるためのタッチスクリーンディスプレイとイベントを記録するためのビデオカメラとを持つハンドヘルドコンピューティングデバイスである。ユーザインターフェースは、触れると自動的に注釈をメモリに記録する、コンテキスト的に有用なアイコンから成る。ビデオと注釈は医療イベント後のさらなる処理と分析のために中央コンピュータへ転送され得る。
【背景技術】
【０００２】
緊急医療処置は何年もの間医学界によって研究されている。患者のアウトカムは処置を修正することによって、有害な若しくは不要なステップを除くことによって、又は処置を正確に実行していない人材を訓練することによって改善され得ると一般に理解されている。典型的な研究は医療処置中にとられる行動の時間と様式を記録する観察者の割り当てを伴う。場合によっては、イベントにおいて使用される機器が記録データの時間順ログも自動的に生成する。
【０００３】
医療イベントの一例は突然の心停止（ＳＣＡ）の緊急処置である。ＳＣＡは米国における主な死亡原因である。突然の心停止（ＳＣＡ）患者の約４０％において、観察される初期心律動は心室細動（ＶＦ）である。ＣＰＲは患者に血液循環をもたらす胸部圧迫と換気から成る、ＳＣＡのための治療プロトコルである。潜在するＶＦを処置するために、ＣＰＲのセッション間に除細動が置かれる。患者のアウトカム成功の確率はＣＰＲと除細動の質と適時性に依存することが知られている。あいにく、多くのイベントはこれら要因の両方を欠く。従って、ＳＣＡ医療処置イベントの研究と評価は医学にとってかなり重要である。
【０００４】
図１は、心停止を患う患者１４を蘇生させるために救助者１２によって従来技術の除細動器１０の電極１６が適用されている、従来技術のＳＣＡ医療処置イベントを図示する。除細動器１０は救急初期対応者によって使用されることができるＡＥＤの形であり得る。除細動器１０はまた病院環境における救急救命士若しくは他の高度な訓練を受けた医療従事者による使用のためのマニュアル除細動器の形であってもよい。
【０００５】
突然の心停止において、患者は、典型的には自己心拍を伴わないＶＦ若しくはＶＴ（すなわちショック可能なＶＴ）の形で、正常な心律動への致死的な妨害に襲われる。おおよそ８乃至１０分であると一般に理解される時間枠内に正常な律動が回復されない場合、患者は死に至る。逆に、ＶＦの発現後（ＣＰＲと除細動を介して）その心拍が速く回復され得るほど、患者１４がイベントを生存するチャンスは高くなる。従って救助者が迅速かつ効果的に蘇生を実行することは医療応答組織を監督する管理者にとって重要な事柄である。
【０００６】
ほとんどのＥＭＳ及び病院組織はイベント後レビューを実施するために医療処置イベントのインシデントレポートを作成する。インシデントレポートは典型的には現場の観察者によって記入されるマニュアルレポートから構成される。レポートは現場で使用される除細動器によって自動的に収集されるデータによって増補されることが多い。除細動器によって自動的に提供されるデータは例えば、典型的にはＥＣＧストリップ、除細動器起動の記録時間、ＣＰＲの開始、除細動ショックの供給、などを含む。加えて、救急初期対応者の口頭での発言（ｖｅｒｂａｌ  ｒｅｍａｒｋｓ）を記録するオーディオ記録（"ボイスストリップ"）が除細動器によって記録されることが多い。
【０００７】
しかしながら自動的に生成されたデータは、救助の進展と有効性についての重要な情報の全てをキャプチャすることができない。従って現場の観察者によって作られるマニュアルレポートが必要である。マニュアルレポートは救助チームの名前、使用機器、観察されたＣＰＲ圧迫及び換気の質、投与された薬剤、救助活動への患者の反応性、及びこれらイベントの各々の時間などの情報を記録し得る。このデータはイベントの総合的で正確な記録を提供するために収集され、自動的に生成されたデータと手動でマージされなければならない。
【０００８】
様々なソースによって生成されるこのイベントデータの全ては一緒にマージされて、Ａｎｄｏｖｅｒ  ＭａｓｓａｃｈｕｓｅｔｔｓのＰｈｉｌｉｐｓ  Ｅｌｅｃｔｒｏｎｉｃｓ  Ｎｏｒｔｈ  Ａｍｅｒｉｃａ  Ｃｏｍｐａｎｙのヘルスケア部門によって販売されるＥｖｅｎｔ  Ｒｅｖｉｅｗソフトウェアなどのソフトウェアを用いて集中コンピュータにおいてインシデントレポートを作成する。図２は典型的な従来技術のインシデントレポート作成画面２０を図示する。そこに示す通り、ユーザは自動的に生成されたデータを一つのタブ上で見る。そしてユーザはイベントの他のマニュアルレポートから操作してソフトウェア画面上に処置についてのメモと注釈を入力する。コンピュータソフトウェアにかかわらず、インシデントレポートを手動で作成するこのプロセスは不便で時間がかかる。最終的な結果はまた、マニュアルレポートにおける誤りや抜けのために、救助イベントの性急と緊急性によって余儀なくされるイベント後再構成の必要性のために、又は手動及び自動のデータソースの時刻同期がないことによって、処置イベントの全体的有効性を反映しないかもしれない。
【０００９】
医療処置イベントを正確に記録する問題への一つの解決法は、ユビキタスなハンドヘルドコンピューティングデバイスにあり得る。これらの小型デバイス、市販のスマートフォンなどは、タッチスクリーンディスプレイ、ビデオカメラ、マイクロフォン、及び無線通信機能を含む。ハンドヘルドコンピューティングデバイスは処置の進展を記録するため、及び救助の日記を作るために観察者によって現場で使用されることができる。あいにく、今日のオーディオ／ビデオ及び手入力データは従来技術のデバイスによって一つのイベントログへ自動的に統合されない。データ入力画面とビデオ記録も同時に表示されない。従って、この情報から意味のあるインシデントレポートを作るためにかなりの時間と労力が費やされなければならない。
【発明の概要】
【発明が解決しようとする課題】
【００１０】
従って従来技術におけるこれらの欠陥の各々に対処するために必要なものは、医療処置イベント中に重要な情報を記録するための簡単なデータ入力インターフェースを提供する装置と方法である。インターフェースはタッチスクリーン上のコンテキスト的に関連するアイコンの選択を通じて注釈付きイベントログを生成することができるべきである。装置は好適にはイベントのオーディオ及びビデオ記録を注釈付きイベントログとマージする。装置は心停止中のＣＰＲのドキュメンテーションにおいて特に有用であり得る。
【００１１】
同様に、必要なものは医療処置イベントの正確で徹底的なドキュメンテーションを容易にするハンドヘルドコンピューティングデバイスのための改良されたグラフィカルユーザインターフェースである。グラフィカルユーザインターフェースは直感的であるべきであり、重要なイベント情報を記録するために最低限の操作を要するべきである。
【００１２】
また必要なものは医療管理スタッフによる編集及びレビューのために中央位置へ収集されたイベントログを効率的に正確に伝えるシステムである。こうしたシステムはスタッフが手順を調節すること、将来のイベントへリソースを追加すること、若しくは必要な人材の訓練を特定することを可能にすることによって患者のアウトカムを改善し得る。
【課題を解決するための手段】
【００１３】
本発明の原理によれば、医療処置イベントをリアルタイムに記録するため、及び分析とレビューのために中央位置へ記録を転送するための、改良された装置と方法が記載される。従って、本発明の目的はイベント中に関連情報を迅速に入力するためのタッチスクリーン上のアイコンを提供する、デバイス内の新規のコンピュータプログラムを持つハンドヘルドコンピューティングデバイスを提供することである。デバイスは好適にはビデオ記録機能も含む。方法はタッチスクリーン入力からの注釈の生成と、注釈から及びオーディオ／ビデオ記録からのイベントログの構成を提供する。
【００１４】
本発明の別の目的は、イベントログにおいて医療処置イベントについての注釈を生成し記憶するためのハンドヘルドコンピューティングデバイスと使用するためのグラフィカルユーザインターフェース（ＧＵＩ）を記述することである。ＧＵＩは好適には医療処置中の現在のプロトコルステップにコンテキスト的に関連するアイコンを示すタッチスクリーンディスプレイ上で作動する。ユーザに提示されるアイコンは情報が入力されると変化する。
【００１５】
本発明のさらに別の目的は、ハンドヘルドコンピューティングデバイスから中央コンピュータへイベントログを転送するための改良されたシステムと方法を記述することである。好適には、転送は無線で実施される。クラウドサーバとして知られるリモートサーバが、イベントログのための中間データ記憶機能を提供し得る。中央コンピュータは好適には、イベント注釈をビデオと組み合わせて医療処置イベントの総合的記録を提供する新規のコンピュータプログラム下で作動する。まだ組み合わされていない場合、中央コンピュータはより総合的なレポートを作り直すために随意に除細動器などのイベントで使用される治療機器からのデータをマージし得る。
【図面の簡単な説明】
【００１６】
【図１】心停止を患う患者で使用されている除細動器の図である。
【図２】除細動器によって提供される注釈及びＥＣＧのイベントログを示す、従来技術の医療イベントレビューソフトウェアプログラムの表示を図示する。
【図３】リアルタイムに医療処置イベントを記録するためのハンドヘルドコンピューティングデバイスの機能ブロック図である。
【図４】医療処置イベント中に使用中のハンドヘルドコンピューティングデバイス例を図示する。
【図５】パネル５ａ乃至５ｄは、本発明の一実施形態にかかるＧＵＩ画面をマップする構造フロー図を図示する。
【図６】設定画面の一実施形態を図示する。
【図７】導入画面の一実施形態を図示する。
【図８】アイテム画面の一実施形態を図示する。
【図９】注釈画面の一実施形態を図示する。
【図１０】本発明の薬剤選択画面の実施形態を図示する。
【図１１】薬剤リスト変更画面の一実施形態を図示する。
【図１２】本発明の薬剤追加画面の実施形態を図示する。
【図１３】本発明のハンドヘルドデバイス上に表示される追加情報画面を図示する。
【図１４】チームメンバー画面の一実施形態を図示する。
【図１５】チームメンバー追加画面の一実施形態を図示する。
【図１６】チームメンバー役割入力画面の一実施形態を図示する。
【図１７】バーコードスキャン画面の一実施形態を図示する。
【図１８】装置検出表示とともに追加情報画面の一実施形態を図示する。
【図１９】イベントログ画面の一実施形態を図示する。
【図２０】イベントログエントリ画面の一実施形態を図示する。
【図２１】イベントログアクション画面の一実施形態を図示する。
【図２２】イベントログプレビュー画面の一実施形態を図示する。
【図２３】本発明の一実施形態にかかる通信システムの概観を図示する。
【図２４】中央コンピュータディスプレイ上に提供される注釈プレビュー画面の一実施形態を図示する。
【図２５】中央コンピュータディスプレイ上に提供される位置プレビュー画面の一実施形態を図示する。
【発明を実施するための形態】
【００１７】
ここで図面を参照すると、図３はリアルタイムに医療処置イベントを記録するための例示的なハンドヘルドコンピューティングデバイス１００のブロック図を図示する。コンピューティングデバイスは特注製であり得る。好適には、本発明の実現は意図された動作を可能にする新規のコンピュータプログラムを追加したスマートフォンなどの既製のハードウェアを使用する。デバイスコンピュータプログラムはイベントキャプチャソフトウェアアプリケーション１０９である。ハンドヘルドコンピューティングデバイス１００はタッチスクリーンディスプレイ１０２、ビデオ記録２１２０をキャプチャするよう作動するビデオカメラ１０４、及びコンピュータ可読媒体１０８内にあるアプリケーション１０９によって操作されるプロセッサ１０６を有する。デバイスは随意にオーディオ記録１１９をキャプチャするよう作動するマイクロフォン１１２を有し得る。メモリ１１０はイベントログ１１７、イベントのビデオ記録１１８、イベントのオーディオ記録１１９を記憶するように作動する。好適には、ビデオ記録１１８とオーディオ記録１１９は、イベントログ１１７がイベントについての関連情報全てを含むように、イベントログ１１７と関連付けられるか、又はイベントログ１１７に統合される。デバイスは無線インターネットインターフェース（ＷＩＦＩ）若しくは無線電話インターフェースなどの無線トランシーバ１１４も含み得る。無線トランシーバはグローバルポジショニングシステム（ＧＰＳ）レシーバ若しくは同様のものといったポジションロケータ１１６も含み得る。図３のデバイスは好適にはタッチスクリーンディスプレイ上にイベントデータを同時に入力しながらユーザが医療処置イベントをビデオ記録することを可能にするように構成される。
【００１８】
使用中のかかる装置の例示的な配置が図４に示される。図４はハンドヘルドコンピューティングデバイス１００が、どのようにしてデバイスを保持する観察者／記録者が救助者によって患者に実行されている医療処置イベントを記録することを可能にするかを図示する。タッチスクリーンディスプレイ１０２上の注釈アイコンを選択するためのペン型セレクタが示されるが、アイコンを指でタップすることもしばしば好適な方法である。好適な実施形態において、デバイス１００の片側はイベントを記録するためのビデオカメラ１０４を備えて配置される。デバイス１００の反対側はタッチスクリーンディスプレイ１０２を備えて配置され、その上でユーザは除細動器電極パッドアイコン３０２などのタッチセンサ式注釈アイコンにタップし得る。タッチスクリーンディスプレイ１０２上に見られる通り、注釈アイコンとグラフィックスは記録されている際にビデオディスプレイにオーバーレイする。図示されていないマイクロフォン１１２は同時にオーディオ記録をキャプチャする。タッチスクリーンディスプレイ１０２上のグラフィカルユーザインターフェース（ＧＵＩ）はイベントが起こったときにイベントについての詳細を入力するために使用されることを目的とする。ビデオ記録とキャプチャデータはデバイスメモリに記憶される。ＧＵＩは下記でより詳細に記載される。
【００１９】
ユーザはＧＵＩ上のスタートボタン若しくは注釈アイコンのいずれかに触れることで記録を開始する。そしてＧＵＩ上の経過時間カウンタがイベントの開始からの経過時間を表示し始める。
【００２０】
ハンドヘルドコンピューティングデバイスは多くの種類の情報がＧＵＩを通じて便利に入力されることを可能にし得る。処置中のイベントの注釈はタッチスクリーン上の注釈アイコンを介して入力される。イベントについてより詳細な情報を入力するためのポップアップ画面も提供され得る。投与された薬剤、医療処置チームメンバーと役割、及び現場の機器リストと状態を入力するための画面はセットアップ中に選択候補を自動入力され得る。従って、デバイスはテキストを手動入力する必要なくイベント中のこの情報の迅速な入力を可能にする。
【００２１】
本発明のハンドヘルドコンピューティングデバイスは多くの種類の情報が自動的に取得され得るように随意に構成される。デバイス１００はビデオ視野内にある可読コードを自動的に識別するバーコード若しくはＱＲコードリーダを含み得る。デバイス１００はユーザがコードを取得するように促し、それによってコードと関連する機器及び／又はデータをイベントログ１１７へキャプチャし得る。デバイス１００はイベントログ１１７に位置情報を記録するＧＰＳレシーバなどのポジショニングロケータを含み得る。また、デバイスはデバイスが医療機器によってキャプチャされるデータをイベントログへ直接取得及び記録することができるように、特定医療機器、例えば除細動器に対応する無線インターフェースを含み得る。こうした特徴はイベントについての重要な多ソース情報を統合するのに関与する時間と労力を著しく削減し、統合された情報の精度と正確さを大幅に改善する。
【００２２】
図５ａ乃至５ｄは本発明の一実施形態にかかるＧＵＩ画面をマップする構造フロー図を図示する。フロー図はデバイス１００内のイベントキャプチャソフトウェアアプリケーション１０９によって、及び中央コンピュータ２０５０（図２３参照）内のコンピュータプログラムによって提供される命令に概して対応する。アプリケーションとプログラムはその各々が特定機能のためのソフトウェア命令を含む機能モジュールとして構成され得る。ユーザはコンテキスト的に関連する表示画面上のタッチセンサ式アイコンをクリックすることによって機能モジュール間をナビゲートし、これはユーザを次の論理画面へ導く。図５に示す様々なモジュール間の矢印は画面内のナビゲーションの、及び表示のために前の画面へ戻る情報フローの、考えられる一つの経路をあらわす。ハンドヘルドコンピューティングデバイス１００上に表示される画面は、設定画面２００、導入画面３００、アイテム画面４００、注釈画面５００、薬剤選択画面６００、薬剤変更画面７００、薬剤追加画面８００、追加情報画面１０００、チームメンバー画面１１００、チームメンバー追加画面１２００、役割画面１３００、バーコードスキャン画面１４００、デバイス検出画面１５００、ログ画面１６００、ログエントリ画面１７００、ログアクション画面１８００、及びログプレビュー画面１９００を含む。中央コンピュータ２０５０上に表示される画面は、注釈及びビデオプレビュー画面２１００及び位置プレビュー画面２２００を含む。中央コンピュータ上のこれらの画面とそれらのデータは、クラウドサーバなど、既知の無線手段を介してハンドヘルドコンピューティングデバイス１００上の画面に通信可能に結合され得る。各画面と、他の画面とのその関係についてこれから詳細に記載する。
【００２３】
ここで図６を参照すると、例示的な設定画面２００が示される。設定画面２００はハンドヘルドコンピューティングデバイス１００の一般設定セクションからアクセスされる。画面２００はユーザがクラウドサーバなどのリモートコンピュータへのアップロードを有効／無効にするためのアップロード設定２１０を設定するように常駐コンピュータプログラムを構成することを可能にする。アップロード設定２１０が有効である場合、デバイス１００はイベント記録が終了するとき若しくはユーザによるプレビュー後のイベントログの受け入れ時に、関連イベントログ１１７のアップロードを自動的に開始する。画面２００はユーザがビデオ設定２２０においてビデオカメラ１０４のための構成を設定することも可能にする。ビデオ設定２２０において、ユーザはビデオ記録を完全に有効／無効にすることができ、随意に暗いところでフラッシュライト"トーチ"が自動的にオンになることを可能にし、オートフォーカスとビデオフォーマットを設定することができる。好適には、ユーザはこれらの設定を医療処置イベントが始まる前に設定する。
【００２４】
図７は、ユーザがハンドヘルドコンピューティングデバイス１００とソフトウェアアプリケーション１０９を初期化して医療処置イベントを記録するときに提示される最初の画面である、導入画面３００を図示する。導入画面３００は四つの主要部分に配置される。一番上のリボンはユーザがイベントの記録を始めるためにタップするスタートボタン３１０を表示する。経過時間カウンタ３０８はイベント記録の開始からの経過時間を示す。インジケータ３１２はクラウドストレージが有効であるか否かを示し、また記録が停止されるときに記録がクラウドストレージ位置へ自動的にアップロードされることも示し得る。ビデオ状態インジケータ３１４はビデオが記録されているか否かを表示する。
【００２５】
画面３００の中央の大きなデータ入力画面３０６はユーザ入力のための主要注釈空間として機能する。タッチセンサ式注釈アイコンは、好適には人の胴体の形の、人型グラフィック３２２のまわりに論理的なやり方でデータ入力画面３０６上に配置される。ユーザは情報ボタン３１６をタップすることによって付加的な及びより詳細な注釈を提供するように掘り下げてもよい。
【００２６】
データ入力画面３０６は、好適にはタッチセンサ式注釈アイコンと人型グラフィック３２２の後ろのバックグラウンドにおいて、カメラ１０４によって記録される進行中のビデオディスプレイも提供する。好適には、ビデオディスプレイはデバイスがオンになるとすぐに、ユーザがイベントの記録を開始したかどうかにかかわらず開始する。図７は記録が起動されるまでビデオがデータ入力画面３０６の後ろに表示されない代替的な実施形態を示す。
【００２７】
注釈リストボックス３０４は、好適にはリストをスクロールダウンするようにユーザの指でスワイプされ得るスクロールリストとして、最新のユーザ注釈を示す。
【００２８】
画面３００上の下部リボンタブコントロールはユーザがキャプチャアイコン３１８とログ履歴セレクタアイコン３２０を用いてコンピュータプログラム内の二つのメインページのいずれかに迅速にナビゲートすることを可能にする。キャプチャアイコンは常に、ビデオと注釈を記録するために使用されるメイン画面である導入画面３００へユーザを戻す。ログ履歴セレクタアイコン３２０によってアクセスされる画面は前に記録されたログエントリを選択するために使用される画面である。導入画面３００へナビゲートした後、ユーザはスタートボタン３１０若しくは任意の注釈アイコン（薬剤、ＣＰＲなど）に触れてカメラ１０４とマイクロフォン１１２を起動し得る。ユーザはログ履歴セレクタ３２０に触れることによってメモリ１１０に記録された過去のイベントログをレビューし得る。
【００２９】
図７を参照すると、ユーザはスタートボタン３１０をタップすることによって若しくはデータ入力画面３０６上の任意のアイコンをタップすることによってカメラ１０４とマイクロフォン１１２を起動する。起動により、デバイスはデータ入力画面３０６上の注釈アイコングラフィックの後ろに同時に表示されているイベントのビデオを記録し始める。ソフトウェアはマイクロフォン１１２を用いて医療処置イベントのオーディオ記録も取得する。デバイスはビデオ記録とオーディオ記録の両方をメモリ１１０に記憶する。
【００３０】
ユーザによってイベント記録が起動された後、コンピューティングデバイスはビデオ及びオーディオ記録を取得し始め、経過時間カウンタが開始する。加えて、デバイスは表示画面３０６上にイベントに関する医療処置プロトコルの第一ステップに対応する一つ以上のタッチセンサ式注釈アイコンを表示するアイテム画面４００を表示する。デバイス１００は注釈アイコンのタッチを感知し、対応する注釈をメモリ１１０に記録する。
【００３１】
図８は、医療処置イベントがＣＰＲプロトコルのステップに従う心肺蘇生（ＣＰＲ）処置である、アイテム画面４００の一実施形態を図示する。ビデオカメラ１０４によって取得される現在のビデオは、画面からユーザの目をそらす必要なくビデオと注釈が同時に達成されることができるようにデータ入力画面３０６のバックグラウンドに表示される。
【００３２】
複数のタッチセンサ式注釈アイコンが図８に示され、その各々はＣＰＲプロトコルの活動部分をあらわす。ユーザは救助中にその活動が起こるときに各アイコンをタップする。例えば、担当救助者が各除細動器電極パッドを患者に適用するとき、ユーザは除細動器電極パッドアイコン３０２のいずれか若しくは両方をタップする。患者に対して換気が実行されるとき、ユーザは換気アイコン３３０に触れる。一連の圧迫が患者に適用されるとき、胸部圧迫アイコン３３２に触れると圧迫の開始時間を記録し、再度触れると、圧迫の停止時間を記録する。胸部圧迫の実施中、胸部圧迫アイコンは胸部圧迫が進行中であることを示すために点滅するか若しくは色を変え得る。自己心拍再開（ＲＯＳＣ）が認められるか、若しくはその状態が変化するとき、ユーザはＲＯＳＣアイコン３２６に触れる。静脈内輸液が患者に投与されるとき、ユーザはＩＶ治療アイコン３２４をタップする。患者に治療薬が投与されるとき、ユーザは注射器アイコン３２８に触れる。デバイス１００がアイコンの各タッチを感知すると、デバイス１００は関連する注釈活動と時間を記録する。
【００３３】
ＧＵＩは好適にはアイコンが触れられるときに注釈アイコンの外見が変化するように構成される。従って、ユーザは医療処置プロトコルの特定ステップが進行中であるか若しくは完了しているという外見の視覚的表示を持つ。触れられたアイコンは異なる色、コントラスト、輝度、サイズ、グラフィックデザイン若しくは同様のものの外見を呈するように変化し得る。電極パッドアイコン３０２は例えば、パッドが取り付けられていることを示すようにパッドの輪郭の内側にプリントグラフィックを追加し得る。
【００３４】
ＧＵＩは注釈アイコンのタッチに応答して第２の注釈アイコン若しくは画面を示すように構成されてもよい。例えば、プロセッサは、除細動器電極が患者に取り付けられていることを示す電極パッドアイコン３０２に触れると、図９に示すタッチセンサ式除細動ショック供給アイコン３３４をＧＵＩが表示することを可能にし得る。そしてユーザは除細動ショックが施されるときにショックアイコン３３４に触れることができる。同様に、注射器アイコン３２８のタッチに応答して、プロセッサはＧＵＩに図１０に示すタッチセンサ式薬剤選択画面７００を立ち上げさせ得る。
【００３５】
図９の注釈画面５００には一つ以上の注釈カウンタ５１０も図示される。各注釈カウンタ５１０は、現在のイベント中にアイコンが何回触れられているかについての表示を与えるためにその各注釈アイコンに隣接して位置する。各アイコンが触れられる度に、そのアイコンの注釈カウンタ５１０がインクリメントされる。同時に、注釈と時間が注釈リストボックス３０４のトップに追加される。注釈リストボックスは好適にはリストにわたって既知の"スワイプ"ジェスチャーを用いて手動でスクロールされるように動作可能である。
【００３６】
代替的に、注釈カウンタ５１０は根底にあるアクションが開始するときのみインクリメントされ得る。例えば、胸部圧迫の注釈カウンタ５１０（図９のボックス"８"）は圧迫が開始したことを示すタップにおいてのみインクリメントされ、その後そのセットの圧迫が終了したことを示す次のタップは無視し得る。
【００３７】
図１０はユーザがアイテム画面４００上の注射器アイコン３２８に触れるときに起動される薬剤画面６００を図示する。薬剤画面６００は好適には選択された医療イベントプロトコルに対応する治療薬と標準投薬量の薬剤リスト６１０を表示するように配置され、リストは好適には論理的な順序で並べられる。例えば、薬剤は投与されると予想される順序でリストされ得るか、又はこれらはアルファベット順にリストされ得る。デバイス１００は投与されている薬剤の一つにユーザが触れて選択することを感知し、その物質と量についての注釈をイベントログ１１７に現在の経過時間と一緒に記録する。アクションも注釈リストボックス３０４上に表示され、ユーザは注釈画面５００に戻される。治療薬若しくは量が標準プロトコルと異なる場合、リストは薬剤リスト編集アイコン６２０をタップすることによって変更されることができ、それによりプロセッサ１０６は薬剤変更画面７００を表示する。
【００３８】
薬剤変更画面７００は図１１に図示される。好適には、この画面は薬剤リスト６１０の外見とコンテンツを最適に配置するように医療処置イベントの前にアクセスされる。薬剤変更画面７００はリストの変更を可能にするために薬剤リスト６１０を薬剤リスト７１０で複製する。薬剤変更画面７００はユーザがリストの所望の位置へ薬剤再配列アイコン７３０をドラッグすることによって治療薬の表示順序を迅速に再配列することを可能にする。薬剤リスト７１０上で順序が設定されると、順序は薬剤リスト６１０上で持続する。ユーザは治療薬の左に薬剤削除アイコン７５０をタップすることによって治療薬を消去し得る。ユーザが薬剤変更画面７００上の薬剤追加アイコン７４０をタップする場合、プロセッサは薬剤追加画面８００を表示する。配置とコンテンツが十分であるとき、ユーザは完了アイコン７２０をタップして薬剤選択画面６００へ戻る。
【００３９】
薬剤追加画面８００は図１２に図示される。新薬剤追加テキストボックス８３０が表示され、そこにユーザは画面８００の下部に表示されるタッチセンサ式キーボードグラフィックを介して新たな治療薬と投与量を入力し得る。入力が完了すると、ユーザは完了アイコン８２０をタップする。新たな薬剤が追加された後、ユーザは薬剤リストへ戻るアイコン８１０をタップして前の表示７００へ戻る。そしてユーザは薬剤リスト７１０の所望の位置へ新たな薬剤を動かす。
【００４０】
図１３はユーザが導入画面３００上の情報ボタン３１６に触れることに応答してタッチスクリーン上に表示される追加情報画面１０００を図示する。情報ボタン３１６は緊急カートアイコン３１６ともよばれ得る。図１３の実施形態は追加情報が医療処置イベントに関与するチームメンバーと付属機器を有することを示すようにヘッダ"ｃｒａｓｈ  ｃａｒｔ  ｄｅｔａｉｌｓ"を持つ。情報ボタン３１６の代わりに、画面１０００は導入画面３００上に表示される専用緊急カートボタンによってアクセスされ得る。この実施例に示す通り、ユーザはそれぞれチームメンバー画面１１００若しくはデバイスバーコードスキャン画面１４００へスクリーンシーケンスをナビゲートさせるチームメンバーアイコン１０１０若しくはデバイス識別アイコン１０３０のいずれかを選択し得る。所望のイベントデータがこれらの画面において記録されると、ユーザは完了アイコン１０２０をタップして導入画面３００へ戻る。
【００４１】
図１４は前の追加情報画面１０００上のチームメンバーアイコン１０１０のタップに応答して表示されるチームメンバー画面１１００の一実施形態を図示する。チームメンバー画面１１００は医療処置イベントに対するチームメンバー名１１１０と役割１１３０をリストする。ユーザは単に名前１１１０に触れて医療処置イベントに参加しているチームメンバーを選択し、するとすぐにアプリケーションが名前と役割の注釈をイベントログ１１７に記憶する。全チームメンバー情報が記録されると、ユーザは"Ｃｒａｓｈ  ｃａｒｔ…"アイコンをタップして前の追加情報画面１０００へ戻る。ユーザが新たなチームメンバーを追加したい、若しくは現在リストされているチームメンバーの役割を調節したい場合は、新メンバー追加アイコン１１２０をタップし、するとすぐにアプリケーションはチームメンバー追加画面１２００へ進む。
【００４２】
図１５は新チームメンバー追加画面１２００の一実施形態を図示する。プロセッサはメンバー名入力ボックス１２１０を立ち上げ、そこにユーザは画面１２００の下部に表示されるタッチセンサ式キーボードグラフィックを介して新チームメンバー名を入力し得る。そしてユーザは、役割画面１３００へナビゲートするようにメンバー役割アイコン１２３０に触れることによってそのチームメンバーの役割を選択するか、若しくは単にグラフィックキーボードを用いて役割を入力し得る。入力が完了すると、ユーザは完了アイコン１２２０をタップして前の表示へ戻る。
【００４３】
図１６はチームメンバー役割入力画面１３００の一実施形態を図示する。好適には役割セレクタ１３２０における役割のリストは医療機関に標準的であり、調節される必要はほとんどない。ユーザは役割セレクタ１３２０からチームメンバーの役割を選択し、そしてチームメンバー追加アイコン１３１０に触れて前の表示へ戻る。
【００４４】
図１７は医療処置イベントにおいて使用される機器に関連する情報をユーザが取得するのに役立つデバイスバーコードスキャン画面１４００の一実施形態を図示する。機器は、標準ＵＰＣバーコード若しくはマトリクス若しくはクイックレスポンス（ＱＲ）コードなど、バーコードタイプの識別子を含む医療機器であり得る。これらのコードは医療機関内での効率的な追跡を可能にするために、及び規制の目的で医療機器の外側に付けられることが多い。バーコード画面１４００は、イベント中のこうした医療機器の自動検出及び識別を可能にすることによって、対応するログエントリに注釈を付けることによって、及びハンドヘルドコンピューティングデバイス１００によって生成されるイベントログと機器関連イベントログをマージする後続の機会を与えることによって、この状況を活用する。機器識別子は一般に医療機器シリアルナンバーである。
【００４５】
例示の目的で、図１７は医療処置イベントにおいて使用中の除細動器の外側に配置されるＱＲコードを示す。ユーザがバーコード画面１４００へナビゲートすると、プロセッサ１０６はビデオ視野１４２０内のバーコードを自動的に識別するためにビデオカメラ１０４とバーコードリーダ命令１４３０を起動する。プロセッサ１０６が可読ＱＲコード１４１０を認識すると、カメラとバーコードリーダを介してバーコードを取得し、取得したバーコードに基づいて医療機器を自動的に識別する。そしてプロセッサ１０６は医療機器情報と読取時間の注釈をイベントログ１１７へ記録し、医療機器名を注釈リストボックスへ入れる。
【００４６】
ＱＲコード１４１０画像が不安定過ぎて正確に読み取れない場合、デバイス１００はユーザがカメラを固定させるためのｈｏｌｄ  ｓｔｉｌｌプロンプト１４３０を発する。画像が認識された後、デバイス１００は確認プロンプトを発し、図１８にデバイス検出画面１５００によって示す追加情報画面へ自動的に戻る。この画面は検出デバイス識別１５１０を図示し、この場合は除細動器のモデルとシリアルナンバーが表示される。
【００４７】
医療処置イベントにおいて使用される機器の識別をキャプチャすることによって、機器によって同時にキャプチャされている任意の情報もキャプチャされるか、若しくはイベントログ１１７と同期され得る。一実施形態において、デバイス１００はハンドシェイクプロトコルを介して機器と無線通信を確立する。そしてデバイス１００は無線トランシーバ１１４を介して識別された医療機器と無線通信し始め、デバイス１００が医療機器から直接イベントデータをキャプチャすることを可能にする。医療機器とデバイス１００間の通信はＢｌｕｅｔｏｏｔｈ（登録商標）、Ｗｉ‐Ｆｉ、若しくは赤外線（ＩＲＤＡ）などの既知の無線通信手段を介する。前述の除細動器の例はショック判断及び供給データ、並びにＣＰＲデータをイベントとリアルタイムに提供し得る。無線信号はＥＣＧなどの患者特性をあらわす情報も提供し得る。バッチ通信が望まれる場合、各データイベントに対するタイムマーカが医療機器によって一般に提供される。マイクロフォンを備える場合、除細動器はイベントのオーディオ記録をデバイス１００へ提供することもできる。そして無線信号伝送に対応するデータがメモリ１１０に記録される。
【００４８】
この除細動器データをハンドヘルドコンピューティングデバイスと関連付ける手段は、引用により本明細書に組み込まれる"Ｄｅｆｉｂｒｉｌｌａｔｏｒ  Ｅｖｅｎｔ  Ｄａｔａ  ｗｉｔｈ  Ｔｉｍｅ  Ｃｏｒｒｅｌａｔｉｏｎ"と題する同一出願人による米国特許公開番号２００８／０１３０１４０Ａ１により詳細に記載される。別の医療機器から取得される情報の全部はデバイス１００によって直接記録される情報とデバイス１００によって同期され、イベントログ１１７において時系列に統合され得る。加えて、無線信号に対応するデータは注釈アイコンと同時に導入画面３００上に表示され得る。
【００４９】
代替的に、識別された医療機器からのイベントデータは中央コンピュータ２０５０へ別々にアップロードされ、その中にあるソフトウェアにおいてイベントログとマージされ得る。統合されたイベントデータを同期及び表示する手段は図２４及び２５に対応する下記の記載においてより詳細に説明される。この実施形態において、中央コンピュータ２０５０は機器からのイベントデータをイベントログ１１７へ関連付けて統合するためにデバイス識別１５１０及び対応するタイムマーカを使用する。
【００５０】
ここで図１９を参照すると、デバイス１００上のイベントログ画面１６００の一実施形態が示される。ログ画面１６００は、イベントログ１６１０など、デバイス１００によって記録されている全イベントログの履歴を、それらのタイムスタンプと一緒に示す。各イベントログに関する追加情報もログ画面１６００上にあらわれる。フィルム型アイコンはビデオ状態インジケータ１６２０の一実施例であり、これはビデオ記録がそのイベントについて記録されたデータの一部であることを示す。クラウド型アイコンは、イベントログデータがクラウドサーバなどのリモートコンピュータへうまくアップロードされていることを示す、アップロード状態インジケータ１６３０の一実施例である。
【００５１】
ログ画面１６００はユーザがさらなる処理のために特定イベントログを選択することを可能にする。イベントログ１６１０を"スワイプ"若しくはダブルタップすることによって、イベントログはデバイス１００メモリから消去されるが、いかなるリモートコンピュータからも自動的に消去されない。イベントログ１６１０を一回タップすることは、イベントログを開いて、さらなる評価若しくは処理のためにユーザをイベントログエントリ画面１７００へナビゲートする。
【００５２】
典型的なイベントログエントリ画面１７００が図２０に図示される。ログエントリ画面１７００は画面１６００において選択されたイベントログによってキャプチャされる注釈のイベントログリスト１７１０を示す。各注釈はリスト１７１０をスワイプ若しくはスクロールすることによってレビューされ得る。ユーザがログアクションアイコン１７２０に触れると、デバイス１００はログアクション画面１８００へナビゲートし、これは選択されたイベントログに対する追加処理オプションを含む。
【００５３】
図２１はログアクション画面１８００の一実施形態を図示する。デバイス１００はアクション画面１８００において複数の処理オプションをユーザに提示する。ログ電子メールアイコン１８１０のタッチは、好適にはＸＭＬファイル形式で、イベントログを含む電子メールを関連するビデオ記録と一緒に作成する。得られる電子メールはビデオ状態インジケータ１６２０によって示される通りリモートコンピュータへアップロードされるものと同じファイルとデータを含む。好適には、電子メール情報は規制上の要件及びプライバシー制限、例えばＨＩＰＡＡ要件に準拠するために暗号化される。
【００５４】
好適なＸＭＬログファイルは開始日及び時間などの識別情報を含む。加えてイベントログは医療処置イベントに対する全ての注釈及びタイムスタンプを含み、チームメンバーの識別及び役割、デバイス識別、並びにイベントの場所のＧＰＳ位置情報などの位置情報の一つ以上を含み得る。
【００５５】
ログプレビューアイコン１８２０のタッチは、デバイス１００が図２２に図示のログプレビュー画面１９００へナビゲートするよう制御し、表示画面上で選択された医療処置イベントのオーディオ及びビデオ記録の再生を開始する。画面１９００の一番上のイベントログ識別子１９１０はプレビューされるイベントログを示す。ログプレビュー画面１９００は各イベント注釈１９２０のリストによってオーバーレイされるビデオ記録を再生する。再生されるとき、注釈のリストは、ビデオにおける現在時刻と時間が概ね一致する注釈を表示することによって、ビデオと同期してスクロールする。より正確な同期のために、ビデオにおける現在時刻の前の最後のイベントである現在のイベント注釈はボックスなどのグラフィック１９３０によって囲まれる。ユーザはイベントログに満足すると、イベントログアイコンに触れて前の画面１８００に戻る。そしてイベントログは前述の通り処理され得る。
【００５６】
図２３は本発明の一実施形態にかかるさらなる分析と記憶のためにハンドヘルドコンピューティングデバイス１００から中央コンピュータ２０５０へ医療処置イベント記録を転送するためのシステムを図示する。図２３に図示の通り、ハンドヘルドコンピューティングデバイス１００は各イベントログを記録直後に無線通信経路２０１０を介してリモートコンピュータ可読媒体２０２０へアップロードする。リモート媒体２０２０は好適にはインターネット接続を持つ任意のデバイスからアクセスされ得るクラウドストレージサーバなどの分散コンピュータサーバである。無線通信経路２０１０は好適には電話若しくは無線インターネット経路であるが、病院エリア内にある有線の、プロプライエタリ若しくはセキュア通信回路も考えられる。そしてリモートコンピュータ可読媒体２０２０は中央コンピュータ２０５０によって必要とされるまでイベントログデータを記憶する。
【００５７】
中央コンピュータ２０５０はダウンロード及びマージツール２０４０によって制御される第２の通信経路２０３０を介してリモートコンピュータ可読媒体２０２０からイベントログデータにアクセスする。ダウンロード及びマージツール２０４０の一実施例はＡｎｄｏｖｅｒ，ＭａｓｓａｃｈｕｓｅｔｔｓのＰｈｉｌｉｐｓ  Ｈｅａｌｔｈｃａｒｅによって製造されるＥｖｅｎｔ  Ｒｅｖｉｅｗソフトウェアにおいて実装される。ダウンロード及びマージツール２０４０は同じ医療処置イベントからの補助データをイベントログへ統合し得る。補助データは他のレポートからの手動入力データ、患者からのＥＣＧストリップ及び生理学的データ、他の医療機器によって記録される医療処置及びデバイス状態イベント、及び同様のものを含む。
【００５８】
同じ医療処置イベントに対する多ソースからのデータを同期することの一つの問題は、データを時間で正確にソートすることであった。経過時間は比較的正確であるが、記録された開始時間は時計の違い、異なる起動時間などのために各ソース間で異なり得る。本発明の一実施形態は時間差を正確に考慮する複数のアイデアを取り入れる。第１に、デバイス１００がイベント発生時に医療機器から直接データを取得する場合、相対的時間誤差は導入されない。代替的に、各記録デバイスは携帯電話システム時間など、独立時間ソースと時間同期され得る。第３に、ダウンロード及びマージツール２０４０は両デバイスにおける同じ発生のマーカを識別し得る。例えば、ショック供給の発生はデバイス１００と救助に使用される除細動器の両方によって記録され得る。マージツール２０４０は両タイムラインを一致させるためにこうしたマーカを識別し同期させ得る。医療機器が視野内にあるデバイス１００からのビデオが、ショックが供給されたことを示す除細動器の点滅光など、イベント発生を識別するために使用され得る。そしてビデオマーカは除細動器ログをデバイス１００のイベントログと同期させるために使用される。最後に、両デバイスがオーディオ記録を取得する場合、ソフトウェアは両オーディオトラックが同期されるまでイベントのうちの一つのオーディオをタイムシフトし得る。タイムシフトは好適には他の記録された注釈の同期も生じる。
【００５９】
ダウンロード及びマージツール２０４０によって作成される統合レポートはディスプレイ２０６０におけるさらなる表示と操作のために中央コンピュータ２０５０に記憶される。そして管理者若しくは医療分析医は中央コンピュータディスプレイ２０６０を操作して医療処置イベントをレビューし得る。
【００６０】
中央コンピュータ２０５０内のレビュー及び分析プログラムは管理者若しくはマネージャによるイベント後レビューのためにイベントログデータを配置する。上述のＥｖｅｎｔ  Ｒｅｖｉｅｗソフトウェアがこの機能を提供する。図２４はＥｖｅｎｔ  Ｒｅｖｉｅｗ画面の新規の変更である注釈及びビデオプレビュー画面２１００の一実施形態を図示する。この実施形態において、除細動器とハンドヘルドコンピューティングデバイス１００からのデータと注釈は表示前に医療処置イベントに対する統合されたイベントログへマージされている。マージされた注釈はイベントツリー２１１０に時系列でリストされる。イベントツリーは要望通りにスクロールされ、注釈についてより詳細な情報を示すように展開され、若しくは折り畳まれ得る。
【００６１】
イベントツリー２１１０にあらわれる注釈の一部若しくは全部はマージされた注釈タイムライン２１３０上にもプロットされ得る。タイムライン２１３０は一般的に現在時刻をマークするスイープバーを持つよりグラフィック様式のイベント記録である。図２４の実施形態において、マージされた除細動器データとマージされた注釈から得られるＥＣＧがタイムライン２１３０に重ね合わされる。イベントからのオーディオもタイムバーが進行するにつれて再生され得る。
【００６２】
注釈及びビデオプレビュー画面２１００の新規の特徴は、注釈タイムライン２１３０の進展と同期される記録された医療イベントビデオ２１２０の同時表示である。レビューソフトウェアはユーザが再生を操作する標準ビデオコントロールを持つビデオコントロールバー２１４０を含み得る。勿論、全記録がレビューされる際に時間同期されたままであるように、ビデオの制御はスイープバーも制御し、逆もまた同様である。加えて、多ソースからのオーディオがイベントログに存在する場合、各オーディオトラックのボリュームレベルは別々に制御され得る。
【００６３】
医療イベントビデオ２１２０は、医療処置の有効性を分析する、さらなる訓練に値する性能の欠陥を特定する、若しくはさらに特定の治療プロトコルが変更を要するかどうかを評価する、ユーザの能力を著しく向上させる。
【００６４】
中央コンピュータ２０５０のレビュー及び分析プログラムは位置プレビュー画面２２００上のイベントログに対する位置情報をさらに含み得る。図２５は位置プレビュー画面２２００の一実施形態を図示する。ディスプレイ上の位置タブを選択することによって、位置データがその上にプロットされるマップを持つ位置表示２２１０がイベントビデオと入れ替わる。位置表示２２１０は、搬送時間、交通状況、若しくはルーティングの変化が提供された処置の効果に影響を与えたかどうかをユーザが決定するのに役立つ。
【００６５】
上記のデバイス、ソフトウェア、及びディスプレイへの変更は本発明の範囲内に含まれる。例えば、ディスプレイの外見及び配置は例示的に図示された実施形態に示すものといくらか異なり得る。ハンドヘルドコンピューティングデバイス１００に組み込まれるが、基本的に上記と同じ機能を実行する異なるユーザ制御は、本発明の範囲内にある。
【図１】
2015534661.tif 000003
【図２】
2015534661.tif 000004
【図３】
2015534661.tif 000005
【図４】
2015534661.tif 000006
【図５ａ】
2015534661.tif 000007
【図５ｂ】
2015534661.tif 000008
【図５ｃ】
2015534661.tif 000009
【図５ｄ】
2015534661.tif 000010
【図６】
2015534661.tif 000011
【図７】
2015534661.tif 000012
【図８】
2015534661.tif 000013
【図９】
2015534661.tif 000014
【図１０】
2015534661.tif 000015
【図１１】
2015534661.tif 000016
【図１２】
2015534661.tif 000017
【図１３】
2015534661.tif 000018
【図１４】
2015534661.tif 000019
【図１５】
2015534661.tif 000020
【図１６】
2015534661.tif 000021
【図１７】
2015534661.tif 000022
【図１８】
2015534661.tif 000023
【図１９】
2015534661.tif 000024
【図２０】
2015534661.tif 000025
【図２１】
2015534661.tif 000026
【図２２】
2015534661.tif 000027
【図２３】
2015534661.tif 000028
【図２４】
2015534661.tif 000029
【図２５】
2015534661.tif 000030
【国際調査報告】
2015534661.tif 000031
2015534661.tif 000032
2015534661.tif 000033